(57)【要約】【課題】  ズレや傾き、倒壊を防止できる墓の提供。【解決手段】  本発明は、複数の墓石材を順次積み上げて成る墓の上位段側の墓石材と下位段側の墓石材との重なり面内において、上位段側の墓石材と下位段側の墓石材とに、一方が凸状で他方が凹状の嵌合部を設け、上下に相対する凹凸を嵌合させて積み上げることを特徴とする。  又、二段以上の墓石材を積み上げて成る墓の少なくとも一組の上位段側の墓石材と下位段側の墓石材との重なり面内に、嵌合部を設けたことを特徴とする。又、上位段側の墓石材の下面に凹状の嵌合部を設け下位段側の墓石材の上面に凸状の嵌合部を設けたことを特徴とする。又、上位段側の墓石材の下面に凸状の嵌合部を設け下位段側の墓石材の上面に凹状の嵌合部を設けたことを特徴とする。【選択図】図３
2007170110.tif 000002
【特許請求の範囲】
【請求項１】
複数の墓石材を順次積み上げて成る墓の上位段側の墓石材と下位段側の墓石材との重なり面内において、上位段側の墓石材と下位段側の墓石材とに、一方が凸状で他方が凹状の嵌合部を設け、上下に相対する凹凸を嵌合させて積み上げることを特徴とする墓。
【請求項２】
二段以上の墓石材を積み上げて成る墓の少なくとも一組の上位段側の墓石材と下位段側の墓石材との重なり面内に、嵌合部を設けたことを特徴とする請求項１に記載の墓。
【請求項３】
嵌合部は、上位段側の墓石材と下位段側の墓石材との重なり面内の中央領域に設けたことを特徴とする請求項１又は請求項２に記載の墓。
【請求項４】
上位段側の墓石材の下面に凹状の嵌合部を設け下位段側の墓石材の上面に凸状の嵌合部を設けたことを特徴とする請求項１乃至請求項３の何れかに記載の墓。
【請求項５】
上位段側の墓石材の下面に凸状の嵌合部を設け下位段側の墓石材の上面に凹状の嵌合部を設けたことを特徴とする請求項１乃至請求項３の何れかに記載の墓。
【請求項６】
上面に凹状の嵌合部が設けられた墓石材には、当該嵌合部の凹状底面から当該墓石材の下面側に達して開口する水抜き穴を設けたことを特徴とする請求項５に記載の墓。
【請求項７】
最下段の墓石材に設けられる嵌合部は当該墓石材の上面から下面に達する打ち抜き穴であることを特徴とする請求項５又は請求項６に記載の墓。
【請求項８】
水抜き穴が設けられる墓石材の嵌合部の凹状底面は、水抜き穴に向かって水が流れ易い傾斜面であることを特徴とする請求項５乃至請求項７の何れかに記載の墓。
【請求項９】
相対する上面と下面とに設けられる嵌合部は相補形状であることを特徴とする請求項１乃至請求項８の何れかに記載の墓。
【請求項１０】
嵌合部に生じる間隙の全部又は一部に充填剤又は接着剤を充填したことを特徴とする請求項１乃至請求項９の何れかに記載の墓。
【発明の詳細な説明】
【技術分野】
【０００１】
本発明は、複数の墓石材を下から上に順次積み上げて成る墓に関する。
【背景技術】
【０００２】
従来、複数の墓石材を下から上に順次積み上げて成る墓（以下、墓ともいう）では、上面と下面とを水平面とした墓石材を単に積み上げるだけの構成であった。
【０００３】
このような在来工法では、設置後、度重なる地震や経年変化によって、重ねられた墓石材に横ズレが生じ易くなり、墓が立つ軸線に歪みを生じて、墓の姿勢が不体裁になるだけでなく、引き続いて起こる地震の揺れで墓が傾いたり倒壊したりする、という不都合な問題があった。
又、このような墓の横ズレや傾きは、地震だけでなく、上下の墓石材が重なる面内への雨水の浸入や、侵入した雨水の氷結の繰返しによっても生じてしまう。
【発明の開示】
【発明が解決しようとする課題】
【０００４】
本発明は、このような問題の解決を目指し、墓の軸心のズレや傾き、更には倒壊を防止できる墓の提供を目的とする。
【課題を解決するための手段】
【０００５】
請求項１の墓の発明は、複数の墓石材を順次積み上げて成る墓の上位段側の墓石材と下位段側の墓石材との重なり面内において、上位段側の墓石材と下位段側の墓石材とに、一方が凸状で他方が凹状の嵌合部を設け、上下に相対する凹凸を嵌合させて積み上げることを特徴とする。
【０００６】
請求項２の発明は、請求項１に記載の墓において、二段以上の墓石材を積み上げて成る墓の少なくとも一組の上位段側の墓石材と下位段側の墓石材との重なり面内に、嵌合部を設けたことを特徴とする。
【０００７】
請求項３の発明は、請求項１又は請求項２に記載の墓において、嵌合部は、上位段側の墓石材と下位段側の墓石材との重なり面内の中央領域に設けたことを特徴とする。
【０００８】
請求項４の発明は、請求項１乃至請求項３の何れかに記載の墓において、上位段側の墓石材の下面に凹状の嵌合部を設け下位段側の墓石材の上面に凸状の嵌合部を設けたことを特徴とする。
【０００９】
請求項５の発明は、請求項１乃至請求項３の何れかに記載の墓において、上位段側の墓石材の下面に凸状の嵌合部を設け下位段側の墓石材の上面に凹状の嵌合部を設けたことを特徴とする。
【００１０】
請求項６の発明は、請求項５に記載の墓において、上面に凹状の嵌合部が設けられた墓石材には、当該嵌合部の凹状底面から当該墓石材の下面側に達して開口する水抜き穴を設けたことを特徴とする。
【００１１】
請求項７の発明は、請求項５又は請求項６に記載の墓において、最下段の墓石材に設けられる嵌合部は当該墓石材の上面から下面に達する打ち抜き穴であることを特徴とする。
【００１２】
請求項８の発明は、請求項５乃至請求項７の何れかに記載の墓において、水抜き穴が設けられる墓石材の嵌合部の凹状底面は、水抜き穴に向かって水が流れ易い傾斜面であることを特徴とする。
【００１３】
請求項９の発明は、請求項１乃至請求項８の何れかに記載の墓において、相対する上面と下面とに設けられる嵌合部は相補形状であることを特徴とする。
【００１４】
請求項１０の発明は、請求項１乃至請求項９の何れかに記載の墓において、嵌合部に生じる間隙の全部又は一部に充填剤又は接着剤を充填したことを特徴とする。
【発明の効果】
【００１５】
請求項１乃至請求項１０の発明によれば、何れも、上位段側の墓石材と下位段側の墓石材とが、重なり面内において、上下に相対に設けられた凹凸を嵌合させて積み上げられるので、重なり面方向への墓石材の横ズレを確実に防止することができ、墓が立つ軸心にブレを生じさせることが無い。
従って又、地震による墓の傾きや倒壊を従来に較べて遥かに効果的に防止させることができる。
【００１６】
請求項５の発明によれば、嵌合部が下位段側の上面より高い位置に設けられるので、嵌合部への雨水の浸入を防ぎ、雨水の侵入による不都合の発生を阻止することができる。
【００１７】
請求項６乃至請求項８の発明によれば、何れも、嵌合部が下位段側の上面より低い位置に設けられるので、嵌合部へ雨水が浸入する虞はあるが、進入した雨水は水抜き穴を介して外部へ放出することができ、雨水の浸入による不都合の発生を抑制することができる。
【００１８】
請求項９又は請求項１０の発明によれば、何れも、緩み無く嵌合させることができるので、組み上げられた墓石材相互に上下や左右方向へのガタツキを生じさせることが無い。
【発明を実施するための最良の形態】
【００１９】
以下、本発明を四段重ねの墓を例にして、上位段側の墓石材と下位段側の墓石材との重なり面内において、上位段側の墓石材と下位段側の墓石材とに、一方が凸状で他方が凹状の嵌合部を設け形態を説明する。
【実施例１】
【００２０】
実施例１は、上位段側の墓石材の下面に凹状の嵌合部を設け下位段側の墓石材の上面に凸状の嵌合部を設けた例である。以下これを図１乃至３図に基づいて説明する。図１は墓の外観斜視図、図２は図１の縦断面図、図３は図２の分解図である。
【００２１】
図１乃至図３に示す墓１０は、墓石材が四段に順次積み上げられたもので、以下、説明の都合上、最下位から最上位の段に向けて第一段の墓石材１１、第二段の墓石材１２、第三段の墓石材３、第四段の墓石材１４といい、上位段側の墓石材と下位段側の墓石材との重なる領域を重なり面１５という。
【００２２】
図３において、第一段、第二段、第三段の各墓石材（１１から１４）の上面に示す破線で囲まれた領域が、各々の上位に重なる第二段、第三段、第四段の各墓石材の下面と重なる、重なり面１５である。
【００２３】
図２及び図３に示すように、この実施例１では、重なり面１５内における上位段側の墓石材の下面側に凹状の嵌合部１６を設け、下位段側の墓石材の上面側に凸状の嵌合部１７を設け、両凹凸は互いに嵌り合う相補形状に整形されている。
このような凹凸の嵌合部１６、１７は重なり面１５の中央領域に設けるのが好ましい。
【００２４】
尚、ここでいう、嵌まり合うとは、嵌り合う方向に摺動する摺動面と摺動面との間隙が比較的小さく蜜に接する程度に嵌合された状態から前記の摺動面と摺動面との間隙が比較的大きく、大きな間隙が生ずる程度に嵌合された状態までをいう。
【００２５】
摺動面と摺動面との間隙が大きい場合には、この間隙を単に塞ぐだけの適当な材料を充填剤として充填するか、或いは接着剤を充填材とし、間隙によって生ずるガタツキを解消させるとよい。これらの充填剤は施工時において流動性のある合成樹脂製を用いるとよい。
【００２６】
又、嵌合部１６、１７の凹凸の形状は、何れも円柱形とすると、加工作業が容易で加工コストを削減できて経済的ではあるが、必ずしもこれに限らない。、例えば、水平断面が円形とならない半円柱形や三角或いは四角の角柱形としてもよい。このように断面が円形でない半円形や角形とすることによって、軸回り方向の位置ずれ（回転）をも防止することができる。
【００２７】
この実施例１によれば、重なり面１５内の上下方向に相対に設けた嵌合部１６、１７の凹凸状を嵌合させて積み上げることにより、地盤の変動や地震、或いは走行車両等による振動等による重なり面１５における上下の墓石材の位置ズレを阻止することができると共に、嵌合方向の嵌め合い長さを十分にとれば、倒壊防止効果も発揮できる。
【００２８】
例えば、図２において、第三段の墓石材１３の上位に位置する第四段の墓石材１４は、図示のように最上段にあるが、最上段の墓石材は縦長形状のものが少なくなく、当然のことながら、縦に長い程横揺れによって最も倒壊し易いが、
図示のように、凹凸の長さを長くすることによって、水平方向の一ズレだけでなく、倒壊をも防ぐことができる。
【実施例２】
【００２９】
実施例２は、上位段側の墓石材の下面に凸状の嵌合部を設け下位段側の墓石材の上面に凹状の嵌合部を設けた墓の例である。以下これを図４乃至６図に基づいて説明する。図４は図１の縦断面図、図５は図４の分解図、図６は図５の一部拡大図である。
【００３０】
この実施例２の墓２０は、上記実施例１と同様に、墓石材２１、２２、２３、２４、２５が四段に順次積み上げられたものであるが、図５に示すように、重なり面２５内における上位段側の墓石材の下面側に凸状の嵌合部２６を設け、下位段側の墓石材の上面側に凹状の嵌合部２７を設けた点が異なる。
【００３１】
又、図４及び図５に示すように、上面側に設けられた凹状の嵌合部２７には、当該嵌合部２７に進入した雨水を逃がす水抜き穴２８を設けた点が異なる。
尚、その他の構成や作用効果は上記実施例１と実質的に同様である。
【００３２】
実施例２では、重なり面２５内における下位段側の墓石材の上面に凹状の嵌合部２７が形成されるため、嵌合部２７に適当な充填材を充填したり、接着剤を充填しても、数十年に亘っての経時変化を避けることができず、どうしても重なり面２５から凹状の嵌合部２７への雨水の浸入を避けることができない。
雨水の浸入を放置すると、冬季では雨水の凍結による体積膨張によって墓２０をその内部から崩壊させてしまう虞がある。
【００３３】
そこで、この実施例２では、上面に凹状の嵌合部１７が設けられる各段の墓石材、この例では、最下段の第一段の墓石材２１を除く、第二段の墓石材２２と、第三段の墓石材２３とに、嵌合部２７の凹状底面から当該墓石材２２、２３の下面側（この例では下向き凸状部の下面側）に達して開口する水抜き穴２８、２８を設けている。
【００３４】
更に又、嵌合部２７の凹状底面を水抜き穴２８に向かって水が流れ易い傾斜面とすると一層効果的である。
このようにして、この実施例２の墓２０では、凹状の嵌合部２７に浸入した雨水を外部へと逃がして、凍結による墓石の損壊を防止させている。
【産業上の利用可能性】
【００３５】
本発明は、四段構成の墓について説明したが、これに限らず、複数段の墓について広く利用することができる。
【図面の簡単な説明】
【００３６】
【図１】図１は外観斜視図である。（実施例１）
【図２】図２は図１の縦断面図である。（実施例１）
【図３】図３は図２の分解図である。（実施例１）
【図４】図４は図１の縦断面図である。（実施例2）
【図５】図５は図４の分解図である。（実施例2）
【図６】図６は図５の一部拡大図である。（実施例2）
【符号の説明】
【００３７】
１０    墓（実施例１）
１１    第一段の墓石材
１２    第二段の墓石材
１３    第三段の墓石材
１４    第四段の墓石材
１５    重なり面
１６    凸状の嵌合部
１７    凹状の嵌合部
２０    墓（実施例２）
２１    第一段の墓石材
２２    第二段の墓石材
２３    第三段の墓石材
２４    第四段の墓石材
２５    重なり面２６
２６    凸状の嵌合部
２７    凹状の嵌合部
２８    水抜き穴
【図１】
2007170110.tif 000003
【図２】
2007170110.tif 000004
【図３】
2007170110.tif 000005
【図４】
2007170110.tif 000006
【図５】
2007170110.tif 000007
【図６】
2007170110.tif 000008